(57)【要約】【課題】従来よりも受信品質の高いダイバーシチ受信装置、或いは、受信品質の割に比較的安価又は小規模なダイバーシチ受信装置を実現すること。【解決手段】本発明の第２の手段の到来波生成部２に相当する合成装置３０４は、２次到来波推定部３０３から与えられる複素重み係数Ｗ２ｎ（１≦ｎ≦Ｎ）を用いて受信波Ｘ１ｎ（１≦ｎ≦Ｎ）を合成し、これにより、仮想到来波Ｙｖ　を生成する。合成装置３０４に入力される信号（受信波Ｘ１ｎ）は２次成分抽出部３０２を経由しないので、仮想到来波Ｙｖ　は途中で特段弱められることなく生成される。この仮想到来波Ｙｖ　は、遅延波（２次到来波Ｙ２　）とは一致しないが、遅延波のスペクトル成分を十分に含んでおり、受信レベル（強度）も特段弱められることなく高く維持されるため、１次到来波Ｙ１　と２次到来波Ｙ２　の到来方向が接近している場合にも、効果的に周波数スペクトル合成を実行することができる。【選択図】　図４
2004120334.tif 000002
【特許請求の範囲】
【請求項１】
計Ｎ本（Ｎ≧２）のアンテナを備えた移動体通信等に有用なダイバーシチ受信装置において、
入力された受信波Ｘ１ｎ（１≦ｎ≦Ｎ）を複素重み係数Ｗ１ｎ（１≦ｎ≦Ｎ）を用いて合成することにより、１次到来波Ｙ１　を生成する到来波生成部１と、
前記受信波Ｘ１ｎからそれぞれ１次到来波成分を差し引くことにより、各２次到来波成分Ｘ２ｎ（１≦ｎ≦Ｎ）を抽出する２次成分抽出部と、
前記２次到来波成分Ｘ２ｎ（１≦ｎ≦Ｎ）を複素重み係数Ｗ２ｎ（１≦ｎ≦Ｎ）を用いて合成することにより、２次到来波Ｙ２　を生成する到来波生成部２と、
前記１次到来波Ｙ１　をフーリエ変換するＦＦＴ演算部１と、
前記２次到来波Ｙ２　をフーリエ変換するＦＦＴ演算部２と、
前記ＦＦＴ演算部ｍ（ｍ＝１，２）から出力される計２個の周波数スペクトル信号を１つの周波数スペクトル信号に合成する周波数スペクトル合成部と、
前記周波数スペクトル合成部により合成された前記１つの周波数スペクトル信号を復調する復調部と
を有する
ことを特徴とするダイバーシチ受信装置。
【請求項２】
計Ｎ本（Ｎ≧２）のアンテナを備えた移動体通信等に有用なダイバーシチ受信装置において、
入力された受信波Ｘ１ｎ（１≦ｎ≦Ｎ）を複素重み係数Ｗ１ｎ（１≦ｎ≦Ｎ）を用いて合成することにより、１次到来波Ｙ１　を生成する到来波生成部１と、
前記受信波Ｘ１ｎからそれぞれ１次到来波成分を差し引くことにより、各２次到来波成分Ｘ２ｎ（１≦ｎ≦Ｎ）を抽出する２次成分抽出部と、
前記２次到来波成分Ｘ２ｎに基づいて、２次到来波Ｙ２　を構成する各２次到来波成分Ｘ２ｎの複素重み係数Ｗ２ｎ（１≦ｎ≦Ｎ）を推定する２次到来波推定部と、
前記受信波Ｘ１ｎ（１≦ｎ≦Ｎ）を前記複素重み係数Ｗ２ｎを用いて合成することにより、仮想到来波Ｙｖ　を生成する到来波生成部２と、
前記１次到来波Ｙ１　をフーリエ変換するＦＦＴ演算部１と、
前記仮想到来波Ｙｖ　をフーリエ変換するＦＦＴ演算部２と、
前記ＦＦＴ演算部ｍ（ｍ＝１，２）から出力される計２個の周波数スペクトル信号を１つの周波数スペクトル信号に合成する周波数スペクトル合成部と、
前記周波数スペクトル合成部により合成された前記１つの周波数スペクトル信号を復調する復調部とを有する
ことを特徴とするダイバーシチ受信装置。
【請求項３】
前記複素重み係数Ｗ１ｎ（１≦ｎ≦Ｎ）と前記複素重み係数Ｗ２ｎ（１≦ｎ≦Ｎ）に基づいて、前記１次到来波Ｙ１　の到来方向と前記２次到来波Ｙ２　の到来方向が互いに接近しているか否かを判定する方位判定手段を有し、
前記１次到来波Ｙ１　と前記２次到来波Ｙ２　の到来方向が一定以上離れている場合に、
前記ＦＦＴ演算部２は、
前記仮想到来波Ｙｖ　の代わりに、前記２次到来波Ｙ２　を入力する
ことを特徴とする請求項２に記載のダイバーシチ受信装置。
【請求項４】
前記複素重み係数Ｗ１ｎ（１≦ｎ≦Ｎ）と前記複素重み係数Ｗ２ｎ（１≦ｎ≦Ｎ）に基づいて、前記１次到来波Ｙ１　の受信レベルに対する前記２次到来波Ｙ２　の相対的な受信レベルを判定する強度判定手段を有し、
前記１次到来波Ｙ１　の受信レベルと前記２次到来波Ｙ２　の受信レベルがある程度接近している場合に、
前記ＦＦＴ演算部２は、
前記仮想到来波Ｙｖ　の代わりに、前記２次到来波Ｙ２　を入力する
ことを特徴とする請求項２又は請求項３に記載のダイバーシチ受信装置。
【請求項５】
前記複素重み係数Ｗ１ｎ（１≦ｎ≦Ｎ）を最大比合成法に従って決定する
ことを特徴とする請求項１乃至請求項４の何れか１項に記載のダイバーシチ受信装置。
【請求項６】
前記複素重み係数Ｗ２ｎ（１≦ｎ≦Ｎ）を最大比合成法に従って決定する
ことを特徴とする請求項１乃至請求項５の何れか１項に記載のダイバーシチ受信装置。
【発明の詳細な説明】
【０００１】
【発明の属する技術分野】
本発明は、複数本のアンテナを備えた移動体通信等に有用なダイバーシチ受信装置に関する。
【０００２】
【従来の技術】
移動体通信等に有用なダイバーシチ受信装置としては、例えば、下記の特許文献１、特許文献２に記載されているもの等が一般にも広く知られている。
例えば、前者は主に最大比合成法を実行するものであり、後者はＯＦＤＭ信号を受信して周波数スペクトル信号を生成し、加重平均処理（重み付け等）を行って復調部に出力するものである。
これらの受信方式は、移動体通信において、受信情報の品質を高めるのに一定以上の効果をもたらす。
【０００３】
図６は、従来のダイバーシチ受信装置８００の論理的なシステム構成図である。チューナ１０は、例えばＶＨＦやＵＨＦ等の受信帯域を選択する。受信帯域制限機能の他にも周波数変換機能、Ａ／Ｄ変換機能、増幅機能等の各種機能を持ったものがある。合成装置２０（到来波生成部）は、例えば最大比合成法等により、各アンテテＡｎ　（１≦ｎ≦Ｎ）からの受信波を合成する。本図６のダイバーシチ受信装置８００では、Ｎ＝４となっている。
【０００４】
この合成装置２０（到来波生成部）は、下記の特許文献１中に記載されているダイバーシチ回路１００（特許文献１の図１）、ダイバーシチ回路２００（特許文献１の図２）、或いは特許文献１中に記載されているダイバーシチ回路３００（特許文献１の図４）に相当し得る部分である。
尚、本図６の符号３０はＦＦＴ演算装置（ＦＦＴ演算部）を示しており、符号５０は復調器（復調部）を示している。
【０００５】
この方式は信号の全帯域を一括して各アンテナ素子からの受信信号に対して位相を制御して合成する方式であり、構成が簡単である。また、信号の変調方式に依存せず、信号同期が必須ではないことから、低コストで効果が高い。ただし、随時算定すべき複素重み係数Ｗ１１，Ｗ１２，Ｗ１３，Ｗ１４等の最適値は、厳密には周波数依存性を有するので、受信信号が広帯域に渡る場合には必ずしも最適な制御方式とは言えない。
【０００６】
図７は、従来のダイバーシチ受信装置９００の論理的なシステム構成図である。ＦＦＴ演算装置３０（ＦＦＴ演算部）は、離散的なフーリエ変換処理を高速に実行する装置で、前段に直列／並列変換器を、後段に並列／直列変換器をそれぞれ具備（内蔵）して構成することができる。図７のＦＦＴ演算装置３０（ＦＦＴ演算部）と、周波数スペクトル合成部４０は、それぞれ、例えば下記の特許文献２中に記載されているフーリエ変換部１１（特許文献２の図１〜図４）や、特許文献２中に記載されている周波数スペクトル合成部１０４（特許文献２の図１〜図４）に相当し得る部分である。
【０００７】
この方式はＯＦＤＭ専用の方式で、ＦＦＴ演算装置３０（ＦＦＴ演算部）によって分離されたＴＶチャンネル等の各キャリア単位に合成処理を行う。この方式は広帯域の信号に対して各キャリア（或いは各サブキャリア）毎に重みを決定することができるので、ダイバーシチ効果が高い。しかし、同期確立の状態の善し悪しにより受信品質が影響される。また、ＦＦＴ演算装置３０（ＦＦＴ演算部）がアンテナ数必要なため、アンテナの本数が大きいと装置全体として比較的大きく高価なハードウェア構成となってしまう。
【０００８】
【特許文献１】
特開２００１−１５６６８９号公報　（第３〜５頁、図１〜図４）
【特許文献２】
特開平１１−２０５２０８号公報　（第５〜１６頁、図１〜図１１）
【０００９】
【発明が解決しようとする課題】
図６、図７に例示される上記の従来技術は、それぞれ動作原理が異なるので、両者を巧く組み合わせることにより、更に受信品質を改善することができるのではないかと期待される。
【００１０】
図１は、上記の２つの従来技術から応用が連想され得るダイバーシチ受信装置１１０の論理的なシステム構成図である。例えばこの様に、上記の２つの従来技術の各々の長所を備えたこの様な装置を構成した場合、勿論、従来よりも更に受信品質を改善することができる。
しかしながら、この様な構成によれば、各ＦＦＴ演算装置３０（ＦＦＴ演算部）毎にそれぞれ４本ものアンテナが必要となってしまう。
【００１１】
より一般には、図１の構成に習えば、（合成装置２０の入力配線本数）×（ＦＦＴ演算装置３０の台数）分のアンテナ本数が必要となる。即ち、期待できる受信品質の割に、多くのアンテナが必要となってしまう。
したがって、図１の様な単純な構成では、期待できる受信品質の割に、大きく高価なシステムを構成しなくてはならない。
【００１２】
図２は、上記の２つの従来技術から応用が連想され得るもう一つのダイバーシチ受信装置１２０の論理的なシステム構成図である。この構成は、各合成装置２０の間でアンテナ（Ａ１　〜Ａ４　）を共有させたものである。この様な構成に従えば、従来よりも大幅にアンテナ本数を削減することができる。
しかしながら、この様な構成に従えば、各ＦＦＴ演算装置３０（ＦＦＴ演算部）に入力される信号の周波数特性が全く同じになってしまうため、周波数スペクトル合成を実行する意義が失われてしまう。
【００１３】
本発明は、上記の課題を解決するために成されたものであり、その目的は、図６、図７に例示される上記の従来技術を巧く組み合わせることにより、従来よりも受信品質の高いダイバーシチ受信装置、或いは、受信品質の割に比較的安価又は小規模なダイバーシチ受信装置を実現することである。
【００１４】
【課題を解決するための手段、並びに、作用及び発明の効果】
上記の課題を解決するためには、以下の手段が有効である。
即ち、本発明の第１の手段は、計Ｎ本（Ｎ≧２）のアンテナを備えた移動体通信等に有用なダイバーシチ受信装置において、入力された受信波Ｘ１ｎ（１≦ｎ≦Ｎ）を複素重み係数Ｗ１ｎ（１≦ｎ≦Ｎ）を用いて合成することにより１次到来波Ｙ１　を生成する到来波生成部１と、受信波Ｘ１ｎからそれぞれ１次到来波成分を差し引くことにより各２次到来波成分Ｘ２ｎ（１≦ｎ≦Ｎ）を抽出する２次成分抽出部と、２次到来波成分Ｘ２ｎ（１≦ｎ≦Ｎ）を複素重み係数Ｗ２ｎ（１≦ｎ≦Ｎ）を用いて合成することにより２次到来波Ｙ２　を生成する到来波生成部２と、１次到来波Ｙ１　をフーリエ変換するＦＦＴ演算部１と、２次到来波Ｙ２　をフーリエ変換するＦＦＴ演算部２と、ＦＦＴ演算部ｍ（ｍ＝１，２）から出力される計２個の周波数スペクトル信号を１つの周波数スペクトル信号に合成する周波数スペクトル合成部と、周波数スペクトル合成部により合成された１つの周波数スペクトル信号を復調する復調部とを備えることである。
【００１５】
この様な手段によれば、遅延波が到来した場合に、その遅延波は上記の２次到来波Ｙ２　として抽出されるため、ＦＦＴ演算部２にはその遅延波が入力されることになる。この様な遅延波は、上記の１次到来波Ｙ１　とは異なる周波数スペクトルを有するものと期待できるので、各ＦＦＴ演算装置３０（ＦＦＴ演算部）に入力される信号の周波数特性は相異なる結果となり、よって、周波数スペクトル合成を実行する意義は維持される。
【００１６】
即ち、上記の手段に従えば、図６、図７に例示される上記の２つの従来技術（或いは、図１、図２で考察された装置）の利点を共に引き出すことができるため、従来よりも受信品質の高いダイバーシチ受信装置、或いは、受信品質の割に比較的安価又は小規模なダイバーシチ受信装置を構成することができる。
【００１７】
また、本発明の第２の手段は、計Ｎ本（Ｎ≧２）のアンテナを備えた移動体通信等に有用なダイバーシチ受信装置において、入力された受信波Ｘ１ｎ（１≦ｎ≦Ｎ）を複素重み係数Ｗ１ｎ（１≦ｎ≦Ｎ）を用いて合成することにより１次到来波Ｙ１　を生成する到来波生成部１と、受信波Ｘ１ｎからそれぞれ１次到来波成分を差し引くことにより各２次到来波成分Ｘ２ｎ（１≦ｎ≦Ｎ）を抽出する２次成分抽出部と、２次到来波成分Ｘ２ｎに基づいて、２次到来波Ｙ２　を構成する各２次到来波成分Ｘ２ｎの複素重み係数Ｗ２ｎ（１≦ｎ≦Ｎ）を推定する２次到来波推定部と、受信波Ｘ１ｎ（１≦ｎ≦Ｎ）を複素重み係数Ｗ２ｎを用いて合成することにより仮想到来波Ｙｖ　を生成する到来波生成部２と、１次到来波Ｙ１　をフーリエ変換するＦＦＴ演算部１と、仮想到来波Ｙｖ　をフーリエ変換するＦＦＴ演算部２と、ＦＦＴ演算部ｍ（ｍ＝１，２）から出力される計２個の周波数スペクトル信号を１つの周波数スペクトル信号に合成する周波数スペクトル合成部と、周波数スペクトル合成部により合成された１つの周波数スペクトル信号を復調する復調部とを備えることである。
【００１８】
この第２の手段は、上記の第１の手段の欠点を補うものである。
上記の第１の手段では、受信波Ｘ１ｎからそれぞれ１次到来波成分を差し引くことにより各２次到来波成分Ｘ２ｎ（１≦ｎ≦Ｎ）を抽出するので、２次到来波Ｙ２　の指向性は、１次到来波Ｙ１　の到来方向に対する感度を弱めたものとなってしまう。このため、１次到来波Ｙ１　の到来方向と２次到来波Ｙ２　の到来方向とが接近している場合には、２次到来波Ｙ２　の受信レベル（強度）が非常に小さくなってしまい、その結果、適当な受信レベルの信号をＦＦＴ演算部２に入力することができなくなる。
【００１９】
しかしながら、上記の第２の手段によれば、遅延波（２次到来波Ｙ２　）の指向性（複素重み係数Ｗ２ｎ（１≦ｎ≦Ｎ））を有する仮想到来波Ｙｖ　が、受信波Ｘ１ｎ（１≦ｎ≦Ｎ）に基づいて、例えば２次成分抽出部等により途中で、特段弱められることなく生成される。この仮想到来波Ｙｖ　は、遅延波（２次到来波Ｙ２　）とは一致しないが、複素重み係数Ｗ２ｎ（１≦ｎ≦Ｎ）を用いて直接受信波Ｘ１ｎから合成されるため、遅延波のスペクトル成分を十分に含んでおり、受信レベル（強度）も途中で特段弱められることなく高く維持されている。
【００２０】
したがって、この様な手段によれば、遅延波が到来した場合に、ＦＦＴ演算部２にはその遅延波のスペクトル成分を十分に含んだ上記の仮想到来波Ｙｖ　が入力されることになる。この様な仮想到来波Ｙｖ　は、上記の１次到来波Ｙ１　とは異なる周波数スペクトルを有するものと期待できるので、各ＦＦＴ演算装置３０（ＦＦＴ演算部）に入力される信号の周波数特性は相異なる結果となり、よって、周波数スペクトル合成を実行する意義は維持される。
【００２１】
即ち、上記の手段に従えば、図６、図７に例示される上記の２つの従来技術（或いは、図１、図２で考察された装置）の利点を共に引き出すことができるため、従来よりも受信品質の高いダイバーシチ受信装置、或いは、受信品質の割に比較的安価又は小規模なダイバーシチ受信装置を構成することができる。
【００２２】
また、本発明の第３の手段は、上記の第２の手段において、複素重み係数Ｗ１ｎ（１≦ｎ≦Ｎ）と複素重み係数Ｗ２ｎ（１≦ｎ≦Ｎ）に基づいて１次到来波Ｙ１　の到来方向と２次到来波Ｙ２　の到来方向が互いに接近しているか否かを判定する方位判定手段を設け、１次到来波Ｙ１　と２次到来波Ｙ２　の到来方向が一定以上離れている場合に、ＦＦＴ演算部２に、仮想到来波Ｙｖ　の代わりに、２次到来波Ｙ２　を入力することである。
【００２３】
例えば、複素重み係数Ｗ１ｎ（１≦ｎ≦Ｎ）が規格化されている場合、１次到来波Ｙ１　の到来方向は、複素重み係数Ｗ１ｎ（１≦ｎ≦Ｎ）の各値の組から推定することができる。２次到来波Ｙ２　の到来方向についても、同様に複素重み係数Ｗ２ｎ（１≦ｎ≦Ｎ）の各値の組から推定することができる。
したがって、この２つの到来方向を比較することにより、上記の方位判定手段を構成することができる。
【００２４】
２つの到来波の到来方向が、所定の閾値よりも大きくずれている場合には、遅延波の指向性（複素重み係数Ｗ２ｎ（１≦ｎ≦Ｎ））を有する２次到来波Ｙ２　を、２次到来波成分Ｘ２ｎに基づいて、特段大きく弱めることなく生成することができる。この２次到来波Ｙ２　は遅延波と略一致するので、遅延波のスペクトル成分を十分に含んでおり、かつ、受信レベル（強度）も高く維持されている。
【００２５】
例えば４本のアンテナを用いて指向性ダイバーシチ受信を行う場合、この２つの到来波の到来方向が、所定の閾値（例：３０°〜６０°程度）よりも大きくずれている時に、ＦＦＴ演算部２に、仮想到来波Ｙｖ　の代わりに２次到来波Ｙ２　を入力すれば、上記の第１の手段と同等の作用により、上記の第１の手段と同等の効果を得ることができる。この時、到来方向が離れているため生成される２次到来波Ｙ２　は極端に弱まることはないので、勿論、前述の第１の手段の欠点は排除される。
【００２６】
また、本発明の第４の手段は、上記の第２又は第３の手段において、複素重み係数Ｗ１ｎ（１≦ｎ≦Ｎ）と複素重み係数Ｗ２ｎ（１≦ｎ≦Ｎ）に基づいて、１次到来波Ｙ１　の受信レベルに対する２次到来波Ｙ２　の相対的な受信レベルを判定する強度判定手段を設け、１次到来波Ｙ１　の受信レベルと２次到来波Ｙ２　の受信レベルがある程度接近している場合に、ＦＦＴ演算部２に、仮想到来波Ｙｖ　の代わりに、２次到来波Ｙ２　を入力することである。
【００２７】
この様な手段によっても、上記の２次到来波Ｙ２　か仮想到来波Ｙｖ　の何れかから、適当な受信レベルを有するどちらか一方の信号を常時ＦＦＴ演算部２に入力することができるので、上記の第１又は第２の手段と同等の効果を得ることができる。この時、勿論、前述の第１の手段の欠点は排除される。
【００２８】
また、本発明の第５の手段は、上記の第１乃至第４の何れか１つの手段において、複素重み係数Ｗ１ｎ（１≦ｎ≦Ｎ）を最大比合成法に従って決定することである。
この様な構成に従えば、本発明に適合し得る最も合理的な方法（最大比合成法）により、上記の複素重み係数Ｗ１ｎ（１≦ｎ≦Ｎ）が決定できるので、高いダイバーシチ効果を得ることができる。
【００２９】
また、本発明の第６の手段は、上記の第１乃至第５の何れか１つの手段において、複素重み係数Ｗ２ｎ（１≦ｎ≦Ｎ）を最大比合成法に従って決定することである。
この様な構成に従えば、本発明に適合し得る最も合理的な方法（最大比合成法）により、上記の複素重み係数Ｗ２ｎ（１≦ｎ≦Ｎ）が決定できるので、高いダイバーシチ効果を得ることができる。
以上の本発明の手段により、前記の課題を効果的、或いは合理的に解決することができる。
【００３０】
【発明の実施の形態】
以下、本発明を具体的な実施例に基づいて説明する。ただし、本発明は以下に示す実施例に限定されるものではない。
〔第１実施例〕
図３は、本第１実施例のダイバーシチ受信装置２００の論理的なシステム構成図であり、本第１実施例は、本発明の第１の手段を具現する１例である。
【００３１】
即ち、合成装置２０１は、図６の従来のダイバーシチ受信装置８００の合成装置２０と同等のものであり、本発明の第１の手段の到来波生成部１を構成している。また、合成装置２０３も、図６の従来のダイバーシチ受信装置８００の合成装置２０と同等のものであり、本発明の第１の手段の到来波生成部２を構成している。
【００３２】
上記の到来波生成部１と到来波生成部２は、それぞれ、１次到来波Ｙ１　、及び２次到来波Ｙ２　を生成して出力する。
２次成分抽出部２０２は、受信波Ｘ１ｎからそれぞれ１次到来波成分を差し引くことにより各２次到来波成分Ｘ２ｎ（１≦ｎ≦Ｎ）を抽出する。より具体的には、Ｘ２ｎ（１≦ｎ≦Ｎ）は、２次成分抽出部２０２により、次式（１）の通りに算出される。
【００３３】
【数１】
Ｘ２ｎ＝Ｘ１ｎ−Ｗ１ｎ＊　Ｙ１　　　　　　（１≦ｎ≦Ｎ）　　　　　　　…（１）
ただし、ここで、Ｗ１ｎ＊　は複素重み係数Ｗ１ｎの複素共役であり、ｎは整数、Ｎはアンテナの全本数（＝４）である。複素共役を取るのは位相を元に戻してから差し引くためである。この演算処理により、受信波Ｘ１ｎから１次到来波成分が差し引かれるので、各２次到来波成分Ｘ２ｎ（１≦ｎ≦Ｎ）だけが残って抽出される。
【００３４】
合成装置２０３（到来波生成部２）は、合成装置２０１（到来波生成部１）と同等の合成処理を実行するので、２次到来波Ｙ２　（遅延波）は１次到来波Ｙ１　と全く同様にして生成される。
ＦＦＴ演算装置２３１（ＦＦＴ演算部１）及びＦＦＴ演算装置２３２（ＦＦＴ演算部２）を含め、それ以降の処理については、図１、図２或いは図７の従来の処理と全く同じである。
【００３５】
例えばこの様な装置によれば、遅延波が到来した場合に、その遅延波は上記の２次到来波Ｙ２　として抽出されるため、ＦＦＴ演算部２にはその遅延波が入力されることになる。この様な遅延波は、上記の１次到来波Ｙ１　とは異なる周波数スペクトルを有するものと期待できるので、各ＦＦＴ演算装置（ＦＦＴ演算部１，２）に入力される信号の周波数特性は相異なる結果となり、よって、周波数スペクトル合成を実行する意義は維持される。
【００３６】
〔第２実施例〕
図４は、本第２実施例のダイバーシチ受信装置３００の論理的なシステム構成図であり、本発明の第２の手段を例示するものである。
言い換えれば、本図４のダイバーシチ受信装置３００は、第１実施例のダイバーシチ受信装置２００（図３）の合成装置２０３を、「２次到来波推定部３０３と、本発明の第２の手段の到来波生成部２に相当する合成装置３０４」で置き換えたものであり、その他の例えば合成装置３０１（到来波生成部１），２次成分抽出部３０２，ＦＦＴ演算装置３３１（ＦＦＴ演算部１），ＦＦＴ演算装置３３２（ＦＦＴ演算部２）等の各部は、それぞれ、図３の合成装置２０１（到来波生成部１），２次成分抽出部２０２，ＦＦＴ演算装置２３１（ＦＦＴ演算部１），ＦＦＴ演算装置２３２（ＦＦＴ演算部２）等の各部と同じものである。
【００３７】
本実施例の２次到来波推定部３０３の構造は、図３の合成装置２０３と殆ど同じものであるが、生成した２次到来波Ｙ２　を出力する代わりに、２次到来波Ｙ２　を決定付ける複素重み係数Ｗ２ｎ（１≦ｎ≦Ｎ）を出力する点が異なっており、大きな特徴となっている。
【００３８】
本発明の第２の手段の到来波生成部２に相当する合成装置３０４は、２次到来波推定部３０３から与えられる複素重み係数Ｗ２ｎを用いて受信波Ｘ１ｎ（１≦ｎ≦Ｎ）を合成することにより仮想到来波Ｙｖ　を生成する。合成装置３０４に入力される信号（受信波Ｘ１ｎ）は２次成分抽出部３０２を経由しないので、仮想到来波Ｙｖ　は途中で特段弱められることなく生成される。この仮想到来波Ｙｖ　は、遅延波（２次到来波Ｙ２　）とは一致しないが、複素重み係数Ｗ２ｎ（１≦ｎ≦Ｎ）を利用することにより、ピーク等の到来時刻に係わる相関や位相が、遅延波（２次到来波Ｙ２　）を基準として揃えられて合成されるため、２次到来波Ｙ２　が比較的強く強調された信号となる。
【００３９】
したがって、この仮想到来波Ｙｖ　は、遅延波のスペクトル成分を十分に含んでおり、受信レベル（強度）も特段弱められることなく高く維持されている。
例えばこの様な装置構成に従えば、１次到来波Ｙ１　と２次到来波Ｙ２　の到来方向が接近している場合にも、効果的に周波数スペクトル合成を実行することができる。
【００４０】
〔第３実施例〕
図５は、本第３実施例のダイバーシチ受信装置４００の論理的なシステム構成図であり、本発明の第３の手段を例示している。
接近判定手段４０５は、複素重み係数Ｗ１ｎ（１≦ｎ≦Ｎ）と複素重み係数Ｗ２ｎ（１≦ｎ≦Ｎ）に基づいて、１次到来波Ｙ１　の到来方向と２次到来波Ｙ２　の到来方向が互いに接近しているか否かを判定する。
【００４１】
例えば、複素重み係数Ｗ１ｎ（１≦ｎ≦Ｎ）が規格化されている場合、１次到来波Ｙ１　の到来方向は、複素重み係数Ｗ１ｎ（１≦ｎ≦Ｎ）の各値の組から推定することができる。２次到来波Ｙ２　の到来方向についても、同様に複素重み係数Ｗ２ｎ（１≦ｎ≦Ｎ）の各値の組から推定することができる。
【００４２】
２つの到来波の到来方向が、所定の閾値よりも大きくずれている場合には、遅延波の指向性（複素重み係数Ｗ２ｎ（１≦ｎ≦Ｎ））を有する２次到来波Ｙ２　が、２次到来波成分Ｘ２ｎに基づいて、大きく弱められることなく生成可能である。この２次到来波Ｙ２　は遅延波と略一致するので、遅延波のスペクトル成分を十分に含んでおり、かつ、受信レベル（強度）も高く維持されている。
【００４３】
例えば４本のアンテナを用いて指向性ダイバーシチ受信を行う場合、この２つの到来波の到来方向が、所定の閾値（例：３０°〜６０°程度）よりも大きくずれている時に、ＦＦＴ演算部２に、仮想到来波Ｙｖ　の代わりに２次到来波Ｙ２　を入力する。
【００４４】
即ち、本第３実施例のダイバーシチ受信装置４００の作用は、１次到来波Ｙ１　と２次到来波Ｙ２　の到来方向が一定以上離れている場合には前述の第１実施例のダイバーシチ受信装置２００の作用と一致し、１次到来波Ｙ１　と２次到来波Ｙ２　の到来方向がある程度接近している場合には前述の第２実施例のダイバーシチ受信装置３００の作用と一致する。
【００４５】
このため、本第３実施例のダイバーシチ受信装置４００によれば、１次到来波Ｙ１　と２次到来波Ｙ２　の到来方向が接近しているか否か等の受信状態に適合した好適或いは最適な周波数スペクトル合成を実施することができる。
【００４６】
また、接近判定手段４０５における判定では、到来方向の接近状況だけでなく、更に、２次到来波（遅延波）の１次到来波に対する相対的な受信レベルをも加味する様にした方がより望ましい。例えば、２次到来波Ｙ２　の強度（受信レベル）が１次到来波Ｙ１　の強度に対し、比較的或いは圧倒的に弱い場合には、例え１次到来波Ｙ１　と２次到来波Ｙ２　の到来方向が接近していなくとも、ＦＦＴ演算部４３２には、符号４０４の到来波生成部２から出力される仮想到来波Ｙｖ　の方を入力した方が良いことがある。これらの判定は、アンテナの本数や配置関係、配向関係等を総合的に考慮して、定量的に実施することができる。
【００４７】
或いは、接近判定手段４０５における判定では、到来方向の接近状況を判定する代わりに、２次到来波（遅延波）の１次到来波に対する相対的な受信レベルを判定する様にしても良い。例えば、２次到来波Ｙ２　の強度（受信レベル）が１次到来波Ｙ１　の強度に対し、比較的或いは圧倒的に弱い場合には、ＦＦＴ演算部４３２には、符号４０４の到来波生成部２から出力される仮想到来波Ｙｖ　の方を入力する。例えばこの様な方式によっても、１次到来波Ｙ１　と２次到来波Ｙ２　の相対的な受信状態に適合した好適或いは最適な周波数スペクトル合成を実施することができる。
【図面の簡単な説明】
【図１】従来技術から応用が連想され得るダイバーシチ受信装置１１０の論理的なシステム構成図。
【図２】従来技術から応用が連想され得るダイバーシチ受信装置１２０の論理的なシステム構成図。
【図３】本発明の第１実施例に係わるダイバーシチ受信装置２００の論理的なシステム構成図。
【図４】本発明の第２実施例に係わるダイバーシチ受信装置３００の論理的なシステム構成図。
【図５】本発明の第３実施例に係わるダイバーシチ受信装置４００の論理的なシステム構成図。
【図６】従来のダイバーシチ受信装置８００の論理的なシステム構成図。
【図７】従来のダイバーシチ受信装置９００の論理的なシステム構成図。
【符号の説明】
Ｎ　…　全アンテナ本数
１０　…　チューナ
２０　…　合成装置（受信波合成部）
３０　…　ＦＦＴ演算装置（ＦＦＴ演算部）
４０　…　周波数スペクトル合成部
５０　…　復調器（復調部）
２００　…　ダイバーシチ受信装置（第１実施例）
２０１　…　到来波生成部１
２０２　…　２次成分抽出部
２０３　…　到来波生成部２
３００　…　ダイバーシチ受信装置（第２実施例）
３０１　…　到来波生成部１
３０２　…　２次成分抽出部
３０３　…　２次到来波推定部
３０４　…　到来波生成部２
４００　…　ダイバーシチ受信装置（第３実施例）
４０５　…　接近判定手段
Ｙ１　　…　１次到来波
Ｙ２　　…　２次到来波
Ｙｖ　　…　仮想到来波
【図１】
2004120334.tif 000003
【図２】
2004120334.tif 000004
【図３】
2004120334.tif 000005
【図４】
2004120334.tif 000006
【図５】
2004120334.tif 000007
【図６】
2004120334.tif 000008
【図７】
2004120334.tif 000009